(57)【要約】【課題】Ｘ線撮影の煩雑な操作を簡易化できるＸ線撮影装置の提供。【解決手段】被検体を横臥させ少なくとも床面に対して垂直方向に移動できる天板を備えるＸ線撮影装置であって、  このＸ線撮影装置を操作する操作者のＩＤ情報を特定する情報を入力させる入力装置と、  この入力装置からのＩＤ情報から前記操作者の腰の高さに相当する値を算出する算出装置と、  この算出装置によって算出される前記値に相当する高さに前記天板を移動させる移動機構とを備える。【選択図】図１
2007209495.tif 000002
【特許請求の範囲】
【請求項１】
Ｘ線撮影される被検体を乗せ床面から任意の高さに設定可能な天板を具備したＸ線撮影装置において、
操作者を特定するための特定情報を入力する入力手段と、
前記入力された特定情報により前記操作者が操作するのに適した前記床面からの高さを算出する算出手段と、
前記算出された床面からの高さに前記天板を移動制御する制御手段と、を備えたことを特徴とするＸ線撮影装置。
【請求項２】
前記入力手段は、前記操作者に装着されたその操作者の特定情報を読み取る読取手段をさらに備え、
前記算出手段は、前記読み取られた特定情報により前記操作者が操作するのに適した前記床面からの高さを算出することを特徴とする請求項１に記載のＸ線撮影装置。
【発明の詳細な説明】
【技術分野】
【０００１】
本発明はＸ線撮影装置に係り、被検体を横臥させ少なくとも床面に対して垂直方向に移動できる天板を備えるＸ線撮影装置に関する。
【背景技術】
【０００２】
この種のＸ線撮影装置として、たとえば、天井に懸架されたＸ線管と、床面上に配置される臥位テーブルとからなるものが知られている。
【０００３】
前記臥位テーブルは、被検体を横臥させる天板を有し、該天板の下部においてＸ線検出器を内蔵する。
【０００４】
この臥位テーブルはそのＸ線検出器が前記Ｘ線管のほぼ直下に位置づけられるように配置され、該Ｘ線管からのＸ線が被検体および天板を透過して前記Ｘ線検出器の撮影面に照射されるようになっている。
【０００５】
Ｘ線検出器の前記撮影面にはたとえばマトリックス状に配置された多数のＸ線検出素子を備えて構成され、これら各Ｘ線検出素子がそれぞれのＸ線透過量を検出することによって前記被検体のＸ線撮影像を構成することができる。
【０００６】
また、前記天板は、それを含む平面内において、該天板を支持する臥位テーブルに対しその長手方向および短手方向のそれぞれにある範囲で移動できるように構成され、これにより、被検体の所望の部位においてのＸ線撮影ができるようになっている。
【０００７】
さらに、前記天板は、床面に対して垂直方向にある範囲で移動できるように構成され、これにより、床面に対して前記天板をたとえば最下位の状態に配置させて、体の不自由な被検体を該天板に容易に横臥させ、その後に、操作者がＸ線撮影に便利な高さにまで該天板を上昇させることができるようになっている。
【０００８】
なお、前記天板の平面内および垂直方向の移動は、該臥位テーブルのたとえば側面部等に備えられた操作部あるいは該臥位テーブルの近傍に配置されるフットスイッチ等の操作によって行われるようになっている。
【０００９】
このような構成のＸ線撮影装置はたとえば下記特許文献１等に開示がされている。
【特許文献１】特開２００５−９５５０９号公報
【発明の開示】
【発明が解決しようとする課題】
【００１０】
しかしながら、このように構成されたＸ線撮影装置において、Ｘ線撮影における天板の垂直方向の移動は、各操作者が、彼らの過去における経験に基づいて、該天板がＸ線撮影に最も便利な位置に配置させるようにするものである。
【００１１】
このため、該天板のＸ撮影に最も便利な位置は各操作者によって区々であるという事情を有し、各操作者が自ら前記操作部あるいはフットスイッチを操作することにより、該天板を適切な位置に配置させなければならない。
【００１２】
しかし、このような操作にあっても、その操作は煩雑であるということが指摘され、それぞれの操作者に応じて、天板の最もＸ線撮影に便利な高さへの移動が自動的になされることが要望されるに至った。
【００１３】
本発明は、このような事情に基づいてなされたもので、その目的は、Ｘ線撮影の煩雑な操作を簡易化できるＸ線撮影装置を提供することにある。
【課題を解決するための手段】
【００１４】
本願において開示される発明のうち、代表的なものの概要を簡単に説明すれば、以下のとおりである。
【００１５】
（１）本発明によるＸ線撮影装置は、たとえば、Ｘ線撮影される被検体を乗せ床面から任意の高さに設定可能な天板を具備したＸ線撮影装置において、操作者を特定するための特定情報を入力する入力手段と、前記入力された特定情報により前記操作者が操作するのに適した前記床面からの高さを算出する算出手段と、前記算出された床面からの高さに前記天板を移動制御する制御手段とを備えたことを特徴とする。
【００１６】
（２）本発明によるＸ線撮影装置は、たとえば、（１）の構成を前提にし、前記入力手段は、前記操作者に装着されたその操作者の特定情報を読み取る読取手段をさらに備え、
前記算出手段は、前記読み取られた特定情報により前記操作者が操作するのに適した前記床面からの高さを算出することを特徴とする。
【００１７】
なお、本発明は以上の構成に限定されず、本発明の技術思想を逸脱しない範囲で種々の変更が可能である。
【発明の効果】
【００１８】
本発明は、Ｘ線撮影に際して、操作者は天板が操作者の腰の部分の高さにある場合においてその後の操作が最も便利となるという経験側に基づき構成されたものであり、本発明によるＸ線撮影装置によればＸ線撮影の煩雑な操作を簡易化できるという効果を奏する。
【発明を実施するための最良の形態】
【００１９】
以下、本発明によるＸ線撮影装置の実施例を図面を用いて説明をする。
【００２０】
図２は、本発明によるＸ線撮影装置の一実施例を示す概略構成図である。
【００２１】
まず、Ｘ線撮影室の天井１にはＸ線管２が懸架されている。このＸ線管２はＸ線絞り部３を備えたＸ線照射口が床側に指向された状態で配置されている。
【００２２】
また、該Ｘ線管２の直下に位置する床面４の箇所には臥位テーブル５が配置され、この臥位テーブル５の上面には被検体（図示せず）を横臥させる天板６が取り付けられている。この臥位テーブル５の内部であって前記天板６の下方には、図３に示すように、Ｘ線検知器７が配置され、このＸ線検知器７によって前記Ｘ線管２から照射され前記被検体および天板６を透過して得られるＸ線の像を検知するようになっている。前記Ｘ線検知器７は、たとえば、複数のＸ線検知素子がマトリックス状に配置された構成され、これらＸ線検知素子はそれぞれそれに照射されたＸ線量を検出できるようになっている。なお、図３において符号８はフロントカバーを示している。
【００２３】
また、この横臥テーブル５と離間した位置にＸ線高電圧装置９が配置され、このＸ線高電圧装置９は前記Ｘ線管２に高電圧を印加させる電源として用いられるようになっている。さらに、このＸ線高電圧装置９と離間した位置に、画像処理装置１０が配置され、この画像処理装置１０には表示装置および操作卓等が備えられて構成されている。
【００２４】
図１は、前記臥位テーブル６をさらに詳細に示した斜視図である。
【００２５】
該臥位テーブル５の上面に配置される天板６は、その短手方向Ｗおよび長手方向Ｌにそれぞれある範囲内で移動させることができるようになっている。たとえば、前記Ｘ線管２の直下に天板６に横臥させた被検体のＸ線撮影をしようとする部位を位置づけるためである。
【００２６】
また、前記天板６は、床面４に対して垂直方向Ｈに移動できるようになっている。たとえば、体の不自由な被検体を天板６に横臥させる場合に、該天板６を最下位の状態に配置させて該被検体を横臥させ、その後に、操作者がＸ線撮影に必要な高さにまで該天板６を上昇させるようにするためである。
【００２７】
天板６の短手方向Ｗの移動、長手方向Ｌの移動、および垂直方向Ｈのそれぞれの移動は、臥位テーブル５に内蔵される移動機構（図示せず）によって行われるようになっている。そして、これらの移動機構を介しての前記天板６の移動は、臥位テーブル５の側面に形成された操作釦１１あるいは臥位テーブル５に近接して配置されるフットスイッチ１２の操作によってなされるようになっている。
【００２８】
なお、前記操作釦１１の近傍には緊急停止スイッチ１３が配置され、この緊急停止スイッチ１３の操作によって、前記天板６を停止できるようになっている。また、前記臥位テーブル５は前記天板６を支持する本体部の側面において蛇腹１４が備えられ、前記天板６の垂直方向Ｈの移動に拘わらず該臥位テーブル５の内部を密閉できるようになっている。
【００２９】
そして、本実施例によるＸ線撮影装置は、その臥位テーブル５の天板６において、特に垂直方向Ｈへの移動が、上述した移動態様の他に、以下に示す構成に基づいて移動できるようになっている。
【００３０】
図４は、本発明によるＸ線撮影装置に内臓される構成の一実施例を示すブロック図である。
【００３１】
まず、入力装置２１があり、このＸ線撮影装置を操作する操作者は、この入力装置２１によって、自己のＩＤ情報を特定する数字あるいは他の符号（以下、この明細書ではＩＤ情報を特定する情報と称する場合がある）をたとえばキー操作によって入力でき、該入力装置２１は前記番号を読み取るようになっている。該入力装置２１によって読み取った前記番号の情報は算出装置２２に入力されるようになっている。この算出装置２２は、まず、記憶装置２３に予め格納されている複数の異なる各操作者の各ＩＤ情報うち、このＸ線撮影装置を操作する当該操作者のＩＤ情報を前記番号の情報に基づいて選択するようになっている。さらに、この算出装置２２は、当該操作者のＩＤ情報のうち当該操作者の身長に関する情報を読み出し、たとえば該身長にある比率を乗算すること等によって当該操作者の腰の高さに相当する情報を算出するようになっている。この場合、前記記憶装置２３に予め格納させておく複数の異なる各操作者の各ＩＤ情報には、それぞれの操作者の腰の高さに関する情報を含ませるようにも構成でき、このようにした場合、前記算出装置２２は該記憶装置２３からこのＸ線撮影装置を操作する当該操作者の腰の高さに関する情報を読み出すだけにして構成することができる。そして、前記算出装置２２によって当該操作者の腰の高さに相当する情報が得られた際には、該情報は記憶装置２４に格納されるようになっている。
【００３２】
前記入力装置２１、算出装置２２、記憶装置２３、記憶装置２４は、たとえば、図２に示した画像処理装置１０内に配置させることができ、前記入力装置２１は該画像処理装置１０に備えられる操作卓と兼用させることができる。
【００３３】
一方、上述したように、前記臥位テーブル５の内部にはその天板６を床面に対して垂直方向に移動させる移動機構２５が備えられており、その天板６が当該操作者にとってその後のＸ線撮影操作において適当な位置の高さにない場合において、前記臥位テーブル５の側面等に配置されている天板移動釦２６（前記操作釦１１のうちの一つ）を押すことによって前記移動機構２５を駆動させることができるようになっている。前記天板移動釦２６は、たとえば、前記天板６が当該操作者が望む天板の高さ（当該操作者の腰の高さ）より下側にある場合は該天板を上昇させる釦と、前記天板６が当該操作者が望む天板の高さより上側にある場合は該天板を下降させる釦とから構成され、当該操作者は状況に応じていずれの釦を押すことができるようになっている。前記移動機構２５には、該天板６を移動させるためのたとえばモータの回転数等を常時検出する検出器２７を備え、該移動機構２５の駆動によって天板６が移動している際には、前記検出器２７からの出力に基づいて演算機構２８によって該天板６の高さに相当する値が演算され、この値に相当する情報は比較装置２９に入力されるようになっている。
【００３４】
前記比較装置２９には、前記記憶装置２４からこのＸ線撮影装置を操作する当該操作者の腰の高さに相当する情報が入力され、この比較装置２９では、該情報と前記検出器からの前記天板の高さに相当する値との比較がなされるようになっている。前記比較装置２９における当該操作者の腰の高さに相当する情報と天板の高さに相当する値との比較にあって、その一致がなされたか否かは一致判定手段３０によって判断されるようになっている。
【００３５】
そして、前記一致判定手段３０によって、当該操作者の腰の高さに相当する情報と天板６の高さに相当する値との一致がとれた場合、該一致判定手段３０は、前記移動機構２５の停止機構３１を駆動させることができるようになっており、これにより、前記天板６は、当該操作者の腰の高さの位置で自動的に停止できるようになり、その後の該操作者のＸ線撮影における操作を便利なものとすることができる。
【００３６】
なお、図４に示した実施例では、Ｘ線撮影装置を操作し得る操作者のそれぞれのＩＤ情報は該Ｘ線撮影装置に記録されており、該Ｘ線撮影装置を操作しようとする操作者が自己のＩＤ情報を特定する数字あるいは他の符号を入力させるようにしたものである。しかし、これに限定されることはなく、たとえば、各操作者は自己のＩＤ情報を格納する媒体（カード等）を所持しており、Ｘ線撮影装置に備えられた読取装置によって前記媒体内のＩＤ情報から少なくとも該操作者の腰の高さに相当する値の情報を導出させ、この情報を前記記憶装置２４に格納するように構成するようにしてもよい。このようにしても同様の効果を得ることができるからである。
【００３７】
以上説明したことから明らかとなるように、上述したＸ線撮影装置によれば、その操作手順は図５のフロー図に示すようになる。すなわち、ステップＳＴ１に示すように、該Ｘ線撮影装置を操作する操作者は自己のＩＤ情報を特定するたとえば番号を入力する。そして、必要な時に、ステップＳＴ２に示すように、天板６の垂直方向への移動がなされる釦を押す。これにより、ステップＳＴ３に示すように、天板６は前記操作者の腰の高さにまで上昇あるいは下降し、該操作者の腰の高さの位置で停止するようになる。天板６が操作者の腰の高さにあることは、その後の操作者によるＸ線撮影の操作を行い易くできるようになる。
【００３８】
上述した各実施例はそれぞれ単独に、あるいは組み合わせて用いても良い。それぞれの実施例での効果を単独であるいは相乗して奏することができるからである。
【図面の簡単な説明】
【００３９】
【図１】本発明によるＸ線撮影装置に用いられる臥位テーブルの一実施例を示す斜視図である。
【図２】本発明によるＸ線撮影装置の一実施例を示す全体構成図である。
【図３】前記臥位テーブルの内部にＸ線検出器を内蔵することを示す側面図である。
【図４】本発明によるＸ線撮影装置に内蔵される構成の一実施例を示すブロック図である。
【図５】本発明によるＸ線撮影装置の操作手順を示すフロー図である。
【符号の説明】
【００４０】
２……Ｘ線管、３……Ｘ線絞り部、５……臥位テーブル、６……天板、７……Ｘ線検出器、９……Ｘ線高電圧装置、１０……画像処理装置、１１……操作釦、１２……フットスィッチ、２１……入力装置、２２……算出装置、２３……記憶装置、２４……記憶装置、２５……移動機構、２６……天板移動釦、２７……検出器、２８……演算装置、２９……比較装置、３０……一致判断手段、３１……停止機構。
【図１】
2007209495.tif 000003
【図２】
2007209495.tif 000004
【図３】
2007209495.tif 000005
【図４】
2007209495.tif 000006
【図５】
2007209495.tif 000007